【手続補正書】
【提出日】平成25年7月12日(2013.7.12)
【手続補正１】
【補正対象書類名】特許請求の範囲
【補正対象項目名】全文
【補正方法】変更
【補正の内容】
【特許請求の範囲】
【請求項１】
金属取り込み入口を備える壁を有する金属溶融炉と共に用いるための可動スウェット炉床であって、
前記スウェット炉床は、前記入口で前記炉の前記壁と接離するように前記炉に対して移動できる炉床本体を備え、
前記炉床本体は中空の内部を囲む複数の外壁を有し、
前記複数の外壁のうちで前記炉床本体の前記炉に係合可能な側壁は、前記内部に連通し、前記内部に金属を取り込み又前記内部から前記炉に溶融金属を排出するための１つの開口を有し、
前記内部は１チャージ分の金属を支持するようになっている床を有し、
前記開口は、溶融金属が前記内部から前記開口を通じて流出できるように前記床に対して位置され、
前記炉床本体は、前記炉床本体が前記炉の前記壁とシール係合する状態へと移動されて前記開口が前記炉入口と位置合わせされたときに、前記床が水平に対して所定角度をなして前記開口へ向けて下方に傾くように位置合わせされるように構成されており、
前記炉床本体は、前記炉床本体の前記開口を介して１チャージ分の金属を前記炉床本体の前記内部に取り込むために、前記炉の前記金属取り込み入口から離れるように動かされる、可動スウェット炉床。
【請求項２】
水平に対する前記角度が５〜４５°の範囲内である請求項１の可動スウェット炉床。
【請求項３】
水平に対する前記角度が１５〜３５°の範囲内である請求項１の可動スウェット炉床。
【請求項４】
前記側壁が前記床に対して９０°で方向付けられ、前記炉床本体が前記炉壁との前記接触のために傾くことができる請求項１、２、または、３の可動スウェット炉床。
【請求項５】
前記側壁が前記床に対して９０°未満で方向付けられる請求項１、２、または、３の可動スウェット炉床。
【請求項６】
金属取り込み入口を備える壁を有する金属溶融炉と共に用いるための可動スウェット炉床であって、
前記スウェット炉床は、前記入口で前記炉の前記壁と接離するように前記炉に対して移動できる炉床本体を備え、
前記炉床本体は中空の内部を囲む複数の外壁を有し、
前記複数の外壁のうちで前記炉床本体の前記炉に係合可能な側壁は、前記内部に連通する１つの開口を有し、
前記内部は１チャージ分の金属を支持するようになっている床を有し、
前記開口は、溶融金属が前記内部から前記開口を通じて流出できるように前記床に対して位置され、
前記炉床本体は、前記炉床本体が前記炉の前記壁とシール係合する状態へと移動されて前記開口が前記炉入口と位置合わせされたときに、前記床が水平に対して所定角度をなして前記開口へ向けて下方に傾くように位置合わせされるように構成されており、
前記炉床本体は、前記炉に対して回動可能に取り付けできる少なくとも１つのヒンジを有する、可動スウェット炉床。
【請求項７】
金属取り込み入口を備える壁を有する金属溶融炉と共に用いるための可動スウェット炉床であって、
前記スウェット炉床は、前記入口で前記炉の前記壁と接離するように前記炉に対して移動できる炉床本体を備え、
前記炉床本体は中空の内部を囲む複数の外壁を有し、
前記複数の外壁のうちで前記炉床本体の前記炉に係合可能な側壁は、前記内部に連通する１つの開口を有し、
前記内部は１チャージ分の金属を支持するようになっている床を有し、
前記開口は、溶融金属が前記内部から前記開口を通じて流出できるように前記床に対して位置され、
前記炉床本体は、前記炉床本体が前記炉の前記壁とシール係合する状態へと移動されて前記開口が前記炉入口と位置合わせされたときに、前記床が水平に対して所定角度をなして前記開口へ向けて下方に傾くように位置合わせされるように構成されており、
前記炉床本体は、前記炉の前記壁と接離するような前記炉床本体の移動を容易にする地面と係合する支持体を有する、可動スウェット炉床。
【請求項８】
前記地面と係合する支持体がフランジ付きホイールを備える請求項７の可動スウェット炉床。
【請求項９】
前記地面と係合する支持体は、前記フランジ付きホイールと接触するレールを更に備え、該レールは、真っ直ぐであって、炉の前記壁に対して直角に方向付けられる請求項８の可動スウェット炉床。
【請求項１０】
前記地面と係合する支持体は、前記フランジ付きホイールと接触するレールを更に備え、該レールは、前記炉の前記壁と接離するように移動されるときに前記炉床本体が湾曲経路を辿るようにするべく弓形を成す請求項８の可動スウェット炉床。
【請求項１１】
金属取り込み入口を備える壁を有する金属溶融炉と共に用いるための可動スウェット炉床であって、
前記スウェット炉床は、前記入口で前記炉の前記壁と接離するように前記炉に対して移動できる炉床本体を備え、
前記炉床本体は中空の内部を囲む複数の外壁を有し、
前記複数の外壁のうちで前記炉床本体の前記炉に係合可能な側壁は、前記内部に連通する１つの開口を有し、
前記内部は１チャージ分の金属を支持するようになっている床を有し、
前記開口は、溶融金属が前記内部から前記開口を通じて流出できるように前記床に対して位置され、
前記炉床本体は、前記炉床本体が前記炉の前記壁とシール係合する状態へと移動されて前記開口が前記炉入口と位置合わせされたときに、前記床が水平に対して所定角度をなして前記開口へ向けて下方に傾くように位置合わせされるように構成されており、
前記可動スウェット炉床は、前記シール係合のために前記炉床本体を傾斜させる機構を含む、可動スウェット炉床。
【請求項１２】
前記炉床本体には、前記開口を除いて耐火断熱材が裏打ちされる請求項１〜１１のいずれかの可動スウェット炉床。
【請求項１３】
前記炉床本体が前記耐火断熱材を取り囲む金属シェルを含む請求項１２に記載の可動スウェット炉床。
【請求項１４】
前記床は、前記炉床本体の水平な底壁の前記耐火断熱材の上面によって形成され、前記耐火断熱材が前記開口からの距離に伴って次第に肉厚になる請求項１２の可動スウェット炉床。
【請求項１５】
前記炉と係合可能な側壁に、炉床本体内の前記床と面一な上面を有する外側へ突出する敷居を更に備える請求項１〜１４のいずれかの可動スウェット炉床。
【請求項１６】
金属溶融炉と共に用いる可動スウェット炉であって、
溶融金属に耐性を有する耐熱材料が裏打ちされた複数の外壁を有する可動炉床本体を備え、
前記複数の外壁は前記炉床本体の１つの側壁を除いて中空の内部を囲っており、
前記炉床本体の１つの側壁は、前記内部に連通し、前記内部に金属を取り込み又前記内部から前記炉に溶融金属を排出するための１つの開口を有し、
前記内部は、１チャージ分の金属を支持するようになっている床を有し、
前記開口は、溶融金属が前記内部から前記開口を通じて流出できるように前記床と面一に位置され、
前記床は、前記開口へ向けて下向きに傾斜するように水平に対して角度を成して配置され、
前記炉床本体は、前記開口を介して１チャージ分の金属を前記炉床本体の前記内部に取り込むために、前記炉の前記金属取り込み入口から離れるように動かされる、可動スウェット炉床。
【請求項１７】
前記床は、前記炉床本体の底壁を裏打ちする前記耐火材料の上面であり、水平に対する前記角度は、前記開口から離れる方向で前記底壁を裏打ちする前記耐火材料を次第に肉厚にすることによってもたらされる請求項１６に記載のスウェット炉床。
【請求項１８】
水平に対する前記角度が５〜４５°の範囲内である請求項１６または１７に記載のスウェット炉床。
【請求項１９】
水平に対する前記角度が１５〜３５°の範囲内である請求項１６または１７に記載のスウェット炉床。
【請求項２０】
前記本体が長方形である請求項１６〜１９のいずれかのスウェット炉床。
【請求項２１】
可動スウェット炉であって、
溶融金属に耐性を有する耐熱材料が裏打ちされた複数の外壁を有する可動炉床本体を備え、
前記複数の外壁は前記炉床本体の１つの側壁を除いて中空の内部を囲っており、
前記炉床本体の１つの側壁は、前記内部に連通する１つの開口を有し、
前記内部は、１チャージ分の金属を支持するようになっている床を有し、
前記開口は、溶融金属が前記内部から前記開口を通じて流出できるように前記床と面一に位置され、
前記床は、前記開口へ向けて下向きに傾斜するように水平に対して角度を成して配置され、
前記炉床本体は、前記炉床本体の移動を容易にするためのホイールを有する、可動スウェット炉床。
【請求項２２】
金属取り込み入口を備える壁を有する金属溶融炉と、前記炉と共に用いるようになっている可動スウェット炉床とを組み合わせたシステムであって、
前記スウェット炉床は、前記入口で前記炉の前記壁と接離するように前記炉に対して移動できる炉床本体を備え、
前記炉床本体は中空の内部を囲む複数の外壁を有し、
前記複数の外壁のうちで前記炉床本体の前記炉に係合可能な側壁は、前記内部に連通し、前記内部に金属を取り込み又前記内部から前記炉に溶融金属を排出するための１つの開口を有し、
前記内部は１チャージ分の金属を支持するようになっている床を有し、
前記開口は、溶融金属が前記内部から前記開口を通じて流出できるように前記床に対して位置され、
前記炉床本体は、前記炉床本体が前記炉の前記壁とシール係合する状態へと移動されて前記開口が前記炉入口と位置合わせされたときに、前記床が水平に対して所定角度をなして前記開口へ向けて下方に傾くように位置合わせされるように構成されており、
前記炉床本体は、前記炉床本体の前記開口を介して１チャージ分の金属を前記炉床本体の前記内部に取り込むために、前記炉の前記金属取り込み入口から離れるように動かされる、システム。
【請求項２３】
金属取り込み入口を備える壁を有する金属溶融炉と、前記炉と共に用いるようになっている可動スウェット炉床とを組み合わせたシステムであって、
前記スウェット炉床は、前記入口で前記炉の前記壁と接離するように前記炉に対して移動できる炉床本体を備え、
前記炉床本体は中空の内部を囲む複数の外壁を有し、
前記複数の外壁のうちで前記炉床本体の前記炉に係合可能な側壁は、前記内部に連通し、前記内部に金属を取り込み又前記内部から前記炉に溶融金属を排出するための１つの開口を有し、
前記内部は１チャージ分の金属を支持するようになっている床を有し、
前記開口は、溶融金属が前記内部から前記開口を通じて流出できるように前記床に対して位置され、
前記炉床本体は、前記炉床本体が前記炉の前記壁とシール係合する状態へと移動されて前記開口が前記炉入口と位置合わせされたときに、前記床が水平に対して所定角度をなして前記開口へ向けて下方に傾くように位置合わせされるように構成されており、
前記スウェット炉床は、該スウェット炉床を前記炉との前記シール係合状態へと揺動させることができ或いは前記炉から離間するように揺動させることができるように前記炉に対して回動可能に取り付けられる、システム。
【請求項２４】
金属取り込み入口を備える壁を有する金属溶融炉と、前記炉と共に用いるようになっている可動スウェット炉床とを組み合わせたシステムであって、
前記スウェット炉床は、前記入口で前記炉の前記壁と接離するように前記炉に対して移動できる炉床本体を備え、
前記炉床本体は中空の内部を囲む複数の外壁を有し、
前記複数の外壁のうちで前記炉床本体の前記炉に係合可能な側壁は、前記内部に連通し、前記内部に金属を取り込み又前記内部から前記炉に溶融金属を排出するための１つの開口を有し、
前記内部は１チャージ分の金属を支持するようになっている床を有し、
前記開口は、溶融金属が前記内部から前記開口を通じて流出できるように前記床に対して位置され、
前記炉床本体は、前記炉床本体が前記炉の前記壁とシール係合する状態へと移動されて前記開口が前記炉入口と位置合わせされたときに、前記床が水平に対して所定角度をなして前記開口へ向けて下方に傾くように位置合わせされるように構成されており、
前記炉床本体が前記シール係合状態にあるときに前記スウェット炉床を前記炉に対して取り付けるための解放可能なアタッチメントを含む、システム。
【請求項２５】
水平に対する前記角度が５〜４５°の範囲内である請求項２２〜２４のいずれかのシステム。
【請求項２６】
水平に対する前記角度が１５〜３５°の範囲内である請求項２２〜２４のいずれかのシステム。
【手続補正２】
【補正対象書類名】明細書
【補正対象項目名】００３４
【補正方法】変更
【補正の内容】
【００３４】
全ての例示的な実施形態において、炉は通常の態様で動作されることが好ましいが、火炎がスウェット炉床内に入らないように維持するために、炉バーナーの出力が減少されてもよく或いは炉バーナーの向きが変えられてもよい。これは、多くの場合において不要かもしれないが、特に炉内の公称温度が１０００℃を超える場合には、十分な乾燥が行なわれる前の金属チャージの急速な溶融を回避するのに役立つ場合がある。
また、前記地面と係合する支持体は、前記フランジ付きホイールと接触するレールを更に備え、該レールは、前記炉壁と接離するように移動されるときに前記炉床本体が湾曲経路を辿るようにするべく弓形を成してもよい。
さらに、前記金属溶融炉と前記可動スウェット炉床を組み合わせたシステムは、前記炉床が前記シール係合状態にあるときに前記スウェット炉床を前記炉に対して取り付けるための解放可能なアタッチメントを含めてもよい。